(57)【要約】【課題】照明器具において、伝熱板を用いて簡単な構造で、伝熱板と反射鏡との接触、伝熱板と器具外殻との接触を確実に行うことができ、小型化が図れる。【解決手段】反射鏡３のソケット側端面４ａと本体外郭１内面とに接触する伝熱板１５を設け、反射鏡３及びランプ２の熱を本体外郭１に伝導する。この伝熱板１５は、本体外郭１内を反射鏡３側とソケット４側とに熱的に分割する遮熱板機能をも持つことで、効果的にランプ２及び反射鏡３からの熱を外部に伝導できる。【選択図】図１
2006093043.tif 000002
【特許請求の範囲】
【請求項１】
前面ガラスにより前方が閉塞されている筒状の本体外郭内に、反射鏡と、ランプ及びランプソケットが収納されている密閉型の照明器具において、
本体外郭内を反射鏡側とソケット側とに熱的に分割する遮熱板機能を持ち、かつ、反射鏡のソケット側端面と本体外郭内面とに接触してランプ及び反射鏡からの熱を本体外郭に伝導する伝熱板を備えたことを特徴とする照明器具。
【請求項２】
前記伝熱板は、本体外郭内面との伝熱面積を確保し得るような構成とされていることを特徴とする請求項１記載の照明器具。
【請求項３】
前記伝熱板は、本体外郭の低温側で接触するようにしたことを特徴とする請求項２記載の照明器具。
【請求項４】
前記伝熱板は、その外周部が本体外殻内面に沿って形成されたことを特徴とする請求項２記載の照明器具。
【発明の詳細な説明】
【技術分野】
【０００１】
本発明は、熱源となるランプを本体外郭内に密閉してなる照明器具に関する。
【背景技術】
【０００２】
従来から、密閉型の照明器具としては、屋内外のスポット照明等に使用されるハロゲンランプ投光器が知られている。この種の照明器具においては、熱源であるランプがあって高温となる本体外郭の前部と、電気部品であるランプソケットがあって高温になるのを避けたい本体外郭の後部とを遮熱板で仕切ることが知られている。その例を図５、図６に示す。
【０００３】
図５の例は、照明器具の本体外郭１が一体型の場合で、ランプ２及び反射鏡３がある高温部側とソケット４のある低温部側とを熱的に遮へいする遮熱板５を追加している。本体外郭１の前方は前面ガラス６により覆われている。この照明器具は天井等に設置された配線ダクトに電気接続されつつ着脱自在に取付けられる支持具７により吊り下げられる。遮熱板５は、本体外郭１の内面に接して設けられ、中心側の孔をランプ２のランプ口金部２ａが挿通している。図６の例は、照明器具の本体外郭１が前部のミラーハウス１ａと後部のソケットハウス１ｂとに別れた分離型の場合で、ミラーハウス１ａの背面１ｃを遮熱板として機能させている。この遮熱板となる背面１ｃには、中心側に孔が開けられ、そこをランプ２のランプ口金部２ａが挿通している。その他、前述と同番号のものは同部材である。
【０００４】
従来のこの種の照明器具において、ランプの消費電力（ワット数）が大きくなると発熱量も多くなるので、ワット数の増大に合わせて、放熱作用を高めて内部の温度上昇を抑えるために、器具サイズ、つまり器具表面積を大きくしている。
【０００５】
しかしながら、上記のように、高温部と低温部とを遮熱板で分離して遮熱するだけでは、器具の小型化をすることが出来ず、器具のコンパクト化要請に応えることができない。また、遮熱により、本体外郭内部が分離されることにより、熱源であるランプ側の反射鏡その他の構成部品は温度上昇につながる場合もあった。
【０００６】
ところで、上記のような密閉型の照明器具において、反射鏡からの熱が器具後方に行くのを阻止すると共に、反射鏡からの熱を吸収して本体外郭に伝導する剛体でなる吸熱体を備えることが提案されている（例えば、特許文献１参照）。また、反射鏡からの熱を集熱する集熱カバーを設け、この集熱カバーを放熱体に熱的に接続することが提案されている（例えば、特許文献２参照）。
【特許文献１】特開２０００−１９５３３２号公報
【特許文献２】特開２００１−６４３１号公報
【発明の開示】
【発明が解決しようとする課題】
【０００７】
しかしながら、上記特許文献１のものでは、剛体による複雑な構造の吸熱体を用いていることから、構造的に反射鏡などに吸熱体を密接させることが困難であり、熱伝導で熱を吸熱すると言うより、フィン状構造などによって輻射・対流により吸熱していると言える。
【０００８】
また、上記特許文献２のものでは、集熱カバーはアルミや銅の金属ブロックであったり、容器構造で内に熱媒体が封入されていたりして、複雑な構造で、反射鏡などに集熱カバーを密接させることは困難であり、黒化処理などで輻射による熱線の吸収効率を高める必要があり、また、剛体構造であるため、熱伝導グリースなどの熱伝導材を用いないと、熱伝導は利用できない。
【０００９】
このように、特許文献１，２のいずれにおいても、複雑な構造であり、設計・製造に手間を要し、器具重量が増加する可能性が高く、照射方向可変の照明器具では重量に絶えられるようにすると、照射方向可変とするための構造が大きくなり、照明器具が大型化して、小型化に反する。
【００１０】
本発明は、上記のような問題を解消するものであり、簡単な構造で設計・製造の容易な伝熱板を用いて、伝熱板と反射鏡の接触、伝熱板と器具外殻との接触を容易かつ確実に行え、効果的な伝熱が可能で、小型化、低コスト化が図れる照明器具を提供することを目的とする。
【課題を解決するための手段】
【００１１】
上記課題を解消するために、請求項１の発明は、前面ガラスにより前方が閉塞されている筒状の本体外郭内に、反射鏡と、ランプ及びランプソケットが収納されている密閉型の照明器具において、本体外郭内を反射鏡側とソケット側とに熱的に分割する遮熱板機能を持ち、かつ、反射鏡のソケット側端面と本体外郭内面とに接触してランプ及び反射鏡からの熱を本体外郭に伝導する伝熱板を備えたものである。
【００１２】
請求項２の発明は、請求項１記載の照明器具において、前記伝熱板は、本体外郭内面との伝熱面積を確保し得るような構成とされているものである。
【００１３】
請求項３の発明は、請求項２記載の照明器具において、前記伝熱板は、本体外郭の低温側で接触するようにしたものである。
請求項４の発明は、請求項２記載の照明器具において、前記伝熱板は、その外周部が本体外殻内面に沿って形成されたものである。
【発明の効果】
【００１４】
本発明によれば、伝熱板はその遮熱板機能により、本体外郭内を反射鏡側とソケット側とに熱的に分割し、しかも反射鏡のソケット側端面と本体外郭内面とに接触してランプ及び反射鏡からの熱を本体外郭に伝導するので、簡単な構成にて効果的に本体外郭内の高温部からの熱を外部へ放熱することができ、器具の小型化が図れる。伝熱板が本体外郭内面との接触面積を大きく取れることで、上記効果が顕著に得られる。
また、伝熱板が本体外郭の低温側で接触することで、上記効果がより一層顕著に得られる。
また、伝熱板の外周部が本体外殻内面に沿って形成されていることにより、本体外殻を複雑な構造とすることなく、製造が容易なものとして、上記効果が顕著に得られる。
【発明を実施するための最良の形態】
【００１５】
以下、本発明の一実施形態に係る照明器具について図面を参照して説明する。図１は、第１の実施形態に係る照明器具の断面構成を示す。この照明器具は、屋内外の商品や展示品を照射するに適当なハロゲンランプ等の光源であるランプ２を筒状の本体外郭１内に密閉状態で収納した密閉型の照明器具である。本体外郭１の前方は、前面ガラス６により閉塞され、本体外郭１内には、反射鏡３と、ランプ２及びランプソケット４が収納されている。ランプソケット４は、その外郭がセラミック材質でなり、本体外郭１の後端内面に取り付けられ、ランプ口金部２ａを受け止める。反射鏡３のソケット側端面３ａと本体外郭１の内面とに接触するように伝熱板１５が設けられ、この伝熱板１５でもって、反射鏡３及びランプ２の熱を本体外郭１に伝導する。
【００１６】
上記伝熱板１５は、熱伝導率の良いアルミ材料等で作られており、伝熱効果を確保するために十分な板厚が確保され、本体外郭１内面に嵌め込み得るドーナツ形状とされている。また、伝熱板１５は反射鏡３のソケット側端面３ａ及び本体外郭１の内面リブ状部材１２と、比較的大きい面積で面的に接触するようにしている。１５ａ，１５ｂはそれぞれの接触部を示す。本体外郭１及び反射鏡３は熱伝導の良い金属材料により構成され、反射鏡３は本体外郭１の前面開口側に設けた支持部材１１により本体外郭１に取り付けられる。伝熱板１５は、その中心側部で反射鏡３のソケット側端面３ａと当接し、外周側部で本体外郭１の内面リブ状部材１２と当接し、これら両者に挟まれた状態で保持される。伝熱板１５は、本体外郭１に器具前面開口側からネジ等により固定されるようにしてもよい。
【００１７】
さらに、上記伝熱板１５は、本体外郭１内を、高温である反射鏡３側と、低温であるソケット４側とに熱的に分割する遮熱板機能をも併せ持つ。この遮熱板機能により、伝熱板１５は低温側に位置する本体外郭１の内面と接触させるようにしている。これにより、効果的に高温部の熱を本体外郭１へ伝熱することができ、ひいては、外部に熱を放熱し易い。なお、本体外郭１の前面開口には、前面ガラス６を保持する前面フレーム８が固定されており、また、ランプ２の前方に位置してランプ２からの直射光を遮蔽するステンレス鋼板等でなるグレアカットキャップ１０が細幅リブ状の弾性支持板９により保持されている。グレアカットキャップ１０があることで、反射鏡３により制御された範囲にのみ光が照射される。
【００１８】
上記のように構成された本実施形態の照明器具においては、簡単な構造で設計・製造が容易な伝熱板１５を用いて、伝熱板１５と反射鏡３との接触、伝熱板１５と本体外殻１との接触を容易かつ確実に行うことができ、効果的な伝熱が可能で、良好な放熱作用が得られ、器具の小型化が可能となる。
【００１９】
図２は、第２の実施形態に係る照明器具の断面構成を示す。この実施形態では、伝熱板１６の本体外郭１の内面との接触構成が上記実施形態と相違し、その他は同等の構成を有する。伝熱板１６は、皿状であり、その外周部が本体外郭１の斜めの内面に接触する（１６ｂ）。本実施形態では、第１の実施形態による効果に加えて、伝熱板１６の形状自体でもって、簡単な構成にて接触面積を確保することができる。
【００２０】
図３は、第３の実施形態に係る照明器具の断面構成を示す。この実施形態では、伝熱板１７の本体外郭１内面との接触部が低温側になるようにしている。伝熱板１７は、有底筒形状であり、その開口側が低温側に向き、外周の筒状部が本体外郭１内面に嵌合して接触する（１７ｂ）。これにより、伝熱板１７による本体外郭１への伝熱効率を高めることができる。
【００２１】
図４は、第４の実施形態に係る照明器具の断面構成を示す。この実施形態では、上記第３の実施形態よりもさらに伝熱板１８の反射鏡３との接触を確実にするために、本体外郭１内面に嵌合接触（１８ｂ）させた伝熱板１８を可動式とし、伝熱板１８が反射鏡３のソケット側端面３ａ側に圧縮バネ２０で積極的に押し付けるようにしている。具体的には、伝熱板１８の孔にボルト２１を通し、このボルト２１の脚部を、本体外郭１内面でランプ２及び反射鏡３のある高温側とソケット４のある低温側との間に設けたリブ状壁２２に固定し、ボルト２１に圧縮バネ２０を装着した。これにより、伝熱板１８の反射鏡３との接触がより一層確実に行え、伝熱効果が高まる。
【００２２】
本発明は、上記実施例の構成に限られることなく、発明の趣旨を変更しない範囲で種々の変形が可能である。例えば、各実施形態における伝熱板１５，１６，１７，１８の本体外郭１内面との接触は、適宜の構成を採用し得る。また、ランプ２は、メタルハライドランプ等であってもよい。
【図面の簡単な説明】
【００２３】
【図１】本発明の第１の実施形態に係る照明器具の断面構成図。
【図２】本発明の第２の実施形態に係る照明器具の断面構成図。
【図３】本発明の第３の実施形態に係る照明器具の断面構成図。
【図４】本発明の第４の実施形態に係る照明器具の断面構成図。
【図５】従来の照明器具の断面構成図。
【図６】従来の他の照明器具の断面構成図。
【符号の説明】
【００２４】
１  本体外郭
２  ランプ
３  反射鏡
３ａ  反射鏡のソケット側端面
４  ランプソケット
６  前面ガラス
１５，１６，１７，１８  伝熱板
【図１】
2006093043.tif 000003
【図２】
2006093043.tif 000004
【図３】
2006093043.tif 000005
【図４】
2006093043.tif 000006
【図５】
2006093043.tif 000007
【図６】
2006093043.tif 000008